(57)【特許請求の範囲】
【請求項１】
走行車体の後側に昇降機構を介して苗植付部を装着した苗移植機において、走行車体の前輪車軸と後輪車軸との間で、かつ側面視で後輪と前後方向の間隔をおいた前輪車軸寄りの位置に原動機を配置し、走行車体から苗植付部への伝動を入・切する植付クラッチを収容した植付クラッチケースを側面視で原動機と後輪との間に配置し、さらに上下に貫通する開口部を有するステップを原動機より後側かつ後輪より前側に配置し、前記植付クラッチケースはステーに連結部材で連結され、この連結部材に一体形成されたレバー支持部に、植付クラッチケース内の伝動比を調節する株間変更レバーの回動支点軸が支持されており、前記後輪車軸には後輪及びラグを設けていない補助後輪が設けられ、さらに前輪を操向操作するハンドルの操作に連動して旋回内側の後輪の駆動を切る機構として、ハンドルに連結されるステアリング出力軸に連動アームを取り付け、回動自在の連動プレートの左右端部とサイドクラッチを操作するシフタアームとを操作ロッド及びスプリングを介して連結し、連動アームに設けたローラに案内させながら回動自在の連動プレートを左右に回動させて旋回内側の操作ロッドを引いて旋回内側のサイドクラッチを「切」にする機構を設け、前記連動プレートには前後方向の長穴を設けて該長穴に支持軸を嵌合するとともに、該連動プレートを前後に移動させる調節ねじを設けて該調節ねじにより連動プレートを前後に移動させると、スプリングのセット長が変更され、サイドクラッチが「切」になるタイミングが変化するように構成したことを特徴とする苗移植機。
【発明の詳細な説明】
【０００１】
【発明の属する技術分野】
本発明は、前輪及び後輪を有する走行車体の後側に昇降機構を介して苗植付部を装着した苗移植機に関する。
【０００２】
【従来の技術】
上記苗移植機において、走行車体の前輪車軸と後輪車軸との間にエンジン（原動機）を配置した構成のものがある。一般に、この構成の苗移植機は、走行車体の重心が比較的後方に位置するので、苗植付部を上昇させたときの前後バランスが悪くなるという問題がある。また、エンジンの上側には座席が設置されているため、エンジン及びその周辺のメンテナンスを行いにくいという問題点もある。
【０００３】
【発明が解決しようとする課題】
ところで、湿田用の苗移植機では走行車体のホイールベースを長めにするのが好ましい場合がある。そこで、苗移植機のホイールベースを長くするとともに、それを利用して上記従来の苗移植機における問題点を解決することが本発明の課題である。加えて、走行車体から苗植付部への伝動を入・切する植付クラッチを収容した植付クラッチケースの適正な配置を工夫すること、並びに走行車体上から苗植付部の苗載台への苗補給作業をしやすくすることも本発明の課題である。
【０００４】
【課題を解決するための手段】
上記課題を解決するために、本発明は次のように構成した。すなわち、本発明にかかる苗移植機は、走行車体の後側に昇降機構を介して苗植付部を装着した苗移植機において、走行車体の前輪車軸と後輪車軸との間で、かつ側面視で後輪と前後方向の間隔をおいた前輪車軸寄りの位置に原動機を配置し、走行車体から苗植付部への伝動を入・切する植付クラッチを収容した植付クラッチケースを側面視で原動機と後輪との間に配置し、さらに上下に貫通する開口部を有するステップを原動機より後側かつ後輪より前側に配置している。
【０００５】
また、この苗移植機は、上記構成に加えて、さらに前記植付クラッチケースはステーに連結部材で連結され、この連結部材に一体形成されたレバー支持部に、植付クラッチケース内の伝動比を調節する株間変更レバーの回動支点軸が支持されており、前記後輪車軸には後輪及びラグを設けていない補助後輪が設けられ、さらに前輪を操向操作するハンドルの操作に連動して旋回内側の後輪の駆動を切る機構として、ハンドルに連結されるステアリング出力軸に連動アームを取り付け、回動自在の連動プレートの左右端部とサイドクラッチを操作するシフタアームとを操作ロッド及びスプリングを介して連結し、連動アームに設けたローラに案内させながら回動自在の連動プレートを左右に回動させて旋回内側の操作ロッドを引いて旋回内側のサイドクラッチを「切」にする機構を設け、前記連動プレートには前後方向の長穴を設けて該長穴に支持軸を嵌合するとともに、該連動プレートを前後に移動させる調節ねじを設けて該調節ねじにより連動プレートを前後に移動させると、スプリングのセット長が変更され、サイドクラッチが「切」になるタイミングが変化するように構成している。
【０００６】
【発明の効果】
本発明の構成とすると、原動機の位置が全体的に前寄りとなり、機体の重量バランスが向上するとともに、原動機の後方に空間ができるので、原動機及びその周辺のメンテナンスを行いやすくなるという効果がある。また、原動機と後輪との間に配置したステップに足を掛けて、走行車体上から苗植付部の苗載台への苗補給作業がしやすくなるという効果を奏する。このステップは上下に貫通する開口部を有するので、ステップ上に泥が残らず、掛けた足が滑りにくい。ステップは上記位置にあるので、ステップから落下する泥が原動機周辺及び後輪にかからない。
【０００７】
特に、植付クラッチケースが側面視で原動機と後輪との間に独立して配置されるので、当該植付クラッチケースのメンテナンスを行いやすくなるという効果を奏する。
【０００８】
また、株間変更レバーの操作に対する高い剛性を確保でき、しかも補助後輪にはラグが設けられていないので、旋回時の泥押しを少なくできる。さらに、調節ねじの操作で左右のスプリングのセット長を変更できるので、サイドクラッチのタイミング調節が容易となるという効果を奏する。
【０００９】
【発明の実施の形態】
以下、本発明の好ましい実施の形態について説明する。図１乃至図３は苗移植機の一例である乗用田植機を表している。この乗用田植機１は、走行車体２の後方に昇降機構３を介して１０条植えの苗植付部４が昇降可能に装着されている。
【００１０】
四輪駆動車両である走行車体２は、機体の前部にミッションケース１０を配し、該ミッションケースの左右側方に設けた前輪ファイナルケース１１，１１から外向きに突出する前輪車軸１２ａ，１２ａに前輪１２，１２を取り付けている。また、ミッションケース１０の背面部に左右一対のメインフレーム１３，１３の前端部を固着し、該メインフレームの後端部にローリング自在に支持された左右の後輪ギヤケース１４，１４から外向きに突出する後輪車軸１５ａ，１５ａに主後輪１５，１５及び補助後輪１６，１６，１７，１７を取り付けている。なお、補助後輪１６，１６，１７，１７を内側にスライドさせられるように構成されている。
【００１１】
エンジン（原動機）２０はメインフレーム１３，１３の上に搭載されている。そのエンジン２０の回転動力が、第一ベルト伝動装置２１及び第二ベルト伝動装置２２によってミッションケース１０へ伝達される。ミッションケース１０に伝達された回転動力は、該ケース内のトランスミッションにて変速された後、走行動力と植付動力に分離して取り出される。そして、走行動力は、一部が前輪ファイナルケース１１，１１に伝達されて前輪１２，１２を駆動するとともに、残りが後輪伝動軸２３，２３を介して後輪ギヤケース１４，１４に伝達されて後輪１５，１５，１６，１６，１７，１７を駆動する。また、植付動力は、第一植付伝動軸２４を介して走行車体２の後部に設けた植付クラッチケース２５に一旦伝達され、さらに植付クラッチケース２５から第二植付伝動軸２６を介して苗植付部４へ伝達される。
【００１２】
前記植付クラッチケース２５は図４に示す内部構造になっている。第一植付伝動軸２４に連結した入力軸９０から第二植付伝動軸２６に連結した植付クラッチ軸９１へ、株間変速ギヤ９２，…，９３，…を介して回転動力が伝達される。駆動側の株間変速ギヤ９２，…はそれぞれ独立に入力軸９０に回転自在に嵌合し、シフタキー９４を介していずれか一つだけが入力軸９０と一体化されている。一方、従動側の株間変速ギヤ９３，…は互いに一体に形成されており、クラッチピン９５ａで操作される植付クラッチ９５を介して伝動入切自在に植付クラッチ軸９１と連結されている。株間変更レバー９６で操作するシフトロッド９４ａを摺動させるとこれと一体のシフタキー９４がスライドし、有効な株間変速ギヤ９２，９３の組み合わせが変更される。これにより、入力軸９０からから植付クラッチ軸９１への伝動比を４段階に調節することができる。
【００１３】
この植付クラッチケース２５は、図５及び図６に示すように、後述するリヤステップ３８の支持フレーム３８ａから右側に水平に設けた上下一対のステー９７，９７に取り付けられている。また、上側ステー９７と植付クラッチケース２５の後部とが連結部材９８で連結されており、この連結部材９８に一体形成されたレバー支持部９８ａに前記株間変更レバー９６の回動支点軸が支持されている。この構成であると、植付クラッチケース２５の取付強度が高いだけでなく、株間変更レバー９６の操作に対する高い剛性を確保できる。植付クラッチケース２５は機体右側の側面視でエンジン２０と後輪１５，１６，１７との間に位置し、周囲に他の部材がないので、メンテナンスが容易である。
【００１４】
エンジン２０の上部はエンジンカバー３０で覆われており、その上に座席３１が設置されている。座席３１の前方には各種操作機構を内蔵するボンネット３２があり、その上方に前輪１２，１２を操向操作するハンドル３３が設けられている。
【００１５】
エンジンカバー３０及びボンネット３２の左右両側は、人が移動可能なメインステップ３５になっている。メインステップ３５の後部は高くなっている。また、メインステップ３５の左右外側でエンジンカバー３０の側方部には、メインステップ３５とほぼ同レベルの拡張ステップ３６，３６が設けられている。拡張ステップ３６，３６の後部も高くなっている。そして、この左右の拡張ステップ３６の外側下方に、拡張ステップに乗降するための足掛け３７，３７が取り付けられている。
【００１６】
さらに、メインステップ３５及び拡張ステップ３６，３６の後側には、これらの後部と同じ高さでリヤステップ３８が設けられている。また、リヤステップ３８の左右両側には、補助リヤステップ３９，３９が設けられている。リヤステップ３８及び補助リヤステップ３９，３９は枠体に左右方向の桟を掛け渡した形状をしており、靴に付着した泥が桟と桟の間の開口部を通って落下するようになっている。リヤステップ３８及び補助リヤステップ３９，３９はエンジン２０より後側かつ後輪１５，１５，１６，１６，１７，１７より前側に配置されているので、落下した泥がエンジン周り及び後輪にかからない。リヤステップ３８及び補助リヤステップ３９，３９に足を掛けた場合、足が桟に引っ掛かることにより前後方向に滑りにくい。また、図７に示すように桟の上面が凹凸に形成されているので、左右方向にも滑りにくい。なお、補助リヤステップ３９，３９は、収納のため内側に折りたたみ可能になっている。
【００１７】
リヤステップ３８及び補助リヤステップ３９，３９の上方で、かつ平面視で前部が重複する前後位置には、補給用の苗箱を載置しておく苗枠４０が設けられている。この苗枠４０の内側にはローラ４１，…が前後２列設けられており、載置されている苗箱を楽に左右移動させられる。なお、苗枠４０の左右端部４０ａ，４０ａは内側に折りたたみ可能になっている。
【００１８】
符号４４は線引きマーカで、起立転倒可能に設けられており、圃場を折り返しながら作業を行うときに次行程で通る側が転倒し、次行程で機体の左右中心が通る位置を圃場表土面に線引きする。符号４５はサイドマーカで、前行程で植付けた最外側の既植条の位置を示す。符号４６はスペースマーカで、伸縮自在かつ左右に転倒可能に設けられており、通常は起立させて機体の左右中心を示す指標となり、適当な長さに伸ばした状態で機体側方に転倒させると機体側方の対象物、例えば畦までの距離を示す指標となる。符号４８は、スペースマーカ４６を転倒させたとき、これを下から支えるスペースマーカ受けである。
【００１９】
昇降機構３は、メインフレーム１３の後端部に固定して設けたリンクベースフレーム５０に回動自在に取り付けられた上リンク５１及び下リンク５２，５２を備え、これら上下リンクの後端部に縦リンク５３が連結されている。そして、縦リンク５３の下端部から後方に突出する軸受部に苗植付部側に固着した連結軸５４が回転自在に挿入連結され、苗植付部４が連結軸５４を中心にしてローリング自在に装着される。基部側がメインフレーム１３に固着した支持部材に枢支され、ピストンロッド側が上リンク５１の基部に一体に設けたスイングアーム５６の下端部に連結されている油圧シリンダ５７を伸縮させると、各リンク５１，５２，５２が上下に回動し、苗植付部４がほぼ一定姿勢のまま昇降する。上記苗植付部昇降用の油圧シリンダ５７はエンジン２０よりも後方に配置されているので、そのメンテナンスが容易である。
【００２０】
苗植付部４は、フレームを兼ねる伝動ケース６０、マット状の苗を載せて左右往復動し苗を一株分づつ各条の苗取出口に供給する苗載台６１、該苗載台によって供給される一株分の苗を分割して取り出して圃場に植え付ける植付条数分の苗植付装置６２，…、左右並列に配置されたフロート６３，…等を備えた公知の構成である。植付クラッチ９５を「入」にして苗植付部４を駆動するとともに、フロート６３，…が泥面に接地する位置まで苗植付部４を下降させ、走行車体２を前進させると、フロート６３，…が泥面を滑走して整地し、その整地跡に苗植付装置６２，…が苗載台６１の苗を植付ける。
【００２１】
この苗移植機１は、圃場の端部でフロート６３，…を接地させた状態で旋回する。この際、走行車体１が若干旋回外側に傾くので、外側のフロート６３は泥に潜り気味となる。このため、図８に示すように、最外側のフロートの前部外周縁に泥が上面に乗り上がるのを防止する立縁部６３ａが形成されている。
【００２２】
また、この苗移植機１は、ハンドル３３を操作すると旋回内側の後輪の駆動が自動的に切れるようになっている。このため、ブレーキ操作をすることなくハンドル操作だけで、旋回内側の後輪（補助後輪１６）を支点にした円滑な旋回を行える。旋回の中心となる補助後輪１６は、旋回時の泥押しが少ないようにラグが設けられていない。
【００２３】
なお、ラグのある後輪を２個以上並んで配置させる場合、旋回時に２個の後輪に間に泥が詰まって持ち上がるのを防ぐため、図９に示すようにそれぞれの後輪１５，１６のラグ１５ａ，１６ａの位相を変えるとよい。
【００２４】
なお、この苗移植機１の苗植付部４は、苗載台６１の左右外側２条分づつを内側に折りたたむとともに、左右外側２条の苗植付装置６２を後方に回動させて、運搬時や格納のために左右幅を縮小させられるようになっている。また、機体の左右幅縮小時、走行車体２については、補助後輪１６，１６，１７，１７を内側へスライドさせ、補助リヤステップ３９，３９を内側に折りたたみ、苗枠４０の左右端部４０ａ，４０ａは内側に折りたたみ、線引きマーカ４４，４４及びサイドマーカ４５，４５を後方へ回動させる。
【００２５】
図１０乃至図１２はハンドル操作に連動して旋回内側の後輪の駆動を切る機構を表している。ハンドル３３とパワーステアリング装置を介して連結するステアリング出力軸７０にはピットマンアーム７１が前向きに取り付けられ、このピットマンアーム７１と左右の前輪ファイナルケース１１，１１に設けたアームとがタイロッド７２，７２を介して連結されている。ハンドル３３の操作に応じてステアリング出力軸７０が回動し、その回動が前輪ファイナルケース１１，１１に伝えられて前輪１２，１２が操向される。ここまでは公知の構成である。
【００２６】
また、ステアリング出力軸７０には連動アーム７４が後向きに取り付けられ、さらに該連動アームの後端部に連動プレート７５が回動自在に支持され、この連動プレート７５の左右端部とミッションケース内のサイドクラッチ７６，７６を操作するシフタアーム７７，７７とが操作ロッド７８，７８を介して連結されている。ステアリング出力軸７０が回動すると、連動アーム７４に設けたローラ７４ａに案内させながら連動プレート７５が左右に移動し、それにより、ハンドル３３の操作方向（旋回内側）の操作ロッド７８が引かれて、同じ側のシフタアーム７７が回動する。したがって、ハンドル３３を操作すると、旋回内側のサイドクラッチ７６が「切」になるのである。
【００２７】
連動プレート７５の支持部の構造は、次のようになっている。すなわち、連動プレート７５の下側に下側プレート８０が重ねて設けられ、連動アーム７５に固定した支持軸８１が下側プレート８０の丸穴８０ａと連動プレート７５の前後方向の長穴７５ａとに嵌合している。下側プレート８０は調節ねじ８２によって連動プレート７５に固定されている。調節ねじ８２のねじ込み量を変えると、連動プレート７５が前後に移動し、連動プレート７５の動作を操作ロッド７８，７８に伝えるスプリング８３，８３のセット長が変更される。これにより、サイドクラッチ７６が「切」になるタイミングが変わる。このように、一つの調節ねじ８２の操作で左右のスプリング８３，８３のセット長を変更できるので、サイドクラッチのタイミング調節が容易である。
【図面の簡単な説明】
【図１】苗移植機の側面図である。
【図２】苗移植機の平面図である。
【図３】走行車体の一部を省略した平面図である。
【図４】植付クラッチケースの内部構造を示す断面図である。
【図５】植付クラッチケースの平面図である。
【図６】植付クラッチケースの側面図である。
【図７】リヤステップ及び補助リヤステップの桟の形状を示す図である。
【図８】最外側のフロートの（ａ）平面図、及び（ｂ）側面図である。
【図９】後輪のラグの位置を示す平面図である。
【図１０】サイドクラッチ操作機構の斜視図である。
【図１１】サイドクラッチ操作機構の平面図である。
【図１２】図１１のＳ−Ｓ断面図である。
【符号の説明】
１  乗用田植機（苗移植機）
２  走行車体
３  昇降機構
４  苗植付部
１２  前輪
１２ａ  前輪軸
１５，１６，１７  後輪
１５ａ  後輪軸
２０  エンジン（原動機）
２５  植付クラッチケース
３８  リヤステップ
３９  補助リヤステップ
９５  植付クラッチ
【図１】
0004168657.tif 000002
【図２】
0004168657.tif 000003
【図３】
0004168657.tif 000004
【図４】
0004168657.tif 000005
【図５】
0004168657.tif 000006
【図６】
0004168657.tif 000007
【図７】
0004168657.tif 000008
【図８】
0004168657.tif 000009
【図９】
0004168657.tif 000010
【図１０】
0004168657.tif 000011
【図１１】
0004168657.tif 000012
【図１２】
0004168657.tif 000013